(57)【特許請求の範囲】
【請求項１】
通帳を挿入排出する通帳挿入口と、
上位装置との通信を行う通信部と、
通帳に記帳情報を印字する印字部と、を備え、
前記上位装置から受信した記帳情報に未記帳データがある場合は、当該未記帳データを印字すると共に未記帳データを印字した日付を記帳日として印字し、前記記帳情報に未記帳データがない場合は、前記通帳が挿入された日付を記帳日として印字することを特徴とする自動取引装置。
【請求項２】
請求項１に記載の自動取引装置において、
前記記帳日を、備考欄に印字することを特徴とする自動取引装置。
【請求項３】
請求項１に記載の自動取引装置において、
前記通帳に印字のみを行う取引以外の他の取引と同時に前記通帳に印字を行うときは、前記他の取引が行われた日付を記帳日として備考欄に印字することを特徴とする自動取引装置。
【請求項４】
請求項１ないし請求項３のいずれか一項に記載の自動取引装置において、
前記記帳日を印字する欄と、前記未記帳データの取引日を印字する欄が異なることを特徴とする自動取引装置。
【請求項５】
請求項１に記載の自動取引装置において、
前記記帳日である今回の記帳日に対応させて、前回記帳日から今回記帳日までの間の入出金の差額を印字することを特徴とする自動取引装置。
【請求項６】
通帳を挿入排出する通帳挿入口と、
上位装置との通信を行う通信部と、
通帳に記帳情報を印字する印字部と、を備え、
前記上位装置から受信した記帳情報に、顧客が設定した所定の期間の未記帳データがある場合は、当該未記帳データを印字すると共に、前記所定の期間の最終日の日付を、当該所定の期間の入出金額の差額を集計した集計日として印字し、前記所定の期間の未記帳データがない場合は、前記所定の期間の最終日の日付を集計日として印字することを特徴とする自動取引装置。
【発明の詳細な説明】
【技術分野】
【０００１】
本発明は、取引内容等の情報を通帳等の媒体に印字する自動取引装置に関する。
【背景技術】
【０００２】
従来の自動取引装置は、記帳取引のときに、通帳の最終ページ等に、年月に対応させた各月単位の収入と支出および差引残高を一覧表にして印字している。また、通帳の取引明細印字ページに、年月に対応させた月毎の集計を印字している。（例えば、特許文献１参照。）。
【先行技術文献】
【特許文献】
【０００３】
【特許文献１】特開２００１−２６０５７１号公報（段落０００７−００１１、第１図、第３図）
【発明の概要】
【発明が解決しようとする課題】
【０００４】
しかしながら、上述した特許文献１の技術においては、記帳を行ったときに月毎の入金額と出金額とその差額を年月に対応させて印字しているが、記帳日が印字されないため、記帳取引を行った顧客は、記帳を行った日を把握することができず、顧客の利便性が低下するという問題がある。
また、特許文献１の技術においては、月毎の入金額と出金額とその差額を年月に対応させて印字しているため、記帳取引を行った顧客は、記帳時に前回記帳日から今回記帳日までの間の収支の状況を把握するためには、記帳内容を基に前回記帳日から今回記帳日までの間の収支を計算することが必要になり、顧客の利便性が低下するという問題がある。
本発明は、上記の問題点を解決するためになされたもので、媒体印字（通帳記帳）における顧客の利便性を向上させる手段を提供することを目的とする。
【課題を解決するための手段】
【０００５】
本発明は、上記課題を解決するために、自動取引装置が、通帳を挿入排出する通帳挿入口と、上位装置との通信を行う通信部と、通帳に記帳情報を印字する印字部と、を備え、前記上位装置から受信した記帳情報に未記帳データがある場合は、当該未記帳データを印字すると共に未記帳データを印字した日付を記帳日として印字し、前記記帳情報に未記帳データがない場合は、前記通帳が挿入された日付を記帳日として印字することを特徴とする。
【発明の効果】
【０００６】
これにより、本発明は、顧客が、通帳に印字を行った日付を迅速に把握することができ、通帳印字における顧客の利便性を向上させることができるという効果が得られる。
【図面の簡単な説明】
【０００７】
【図１】実施例１の現金自動預払機を示すブロック図
【図２】実施例１の通帳記帳処理を示す流れ図
【図３】実施例１の通帳への記帳例を示す説明図
【図４】実施例２の通帳記帳処理を示す流れ図
【図５】実施例２の通帳への記帳例を示す説明図
【図６】実施例２の通帳記帳処理を示す流れ図
【図７】実施例２の通帳への記帳例を示す説明図
【発明を実施するための形態】
【０００８】
以下に、図面を参照して本発明による自動取引装置の実施例について説明する。
【実施例１】
【０００９】
以下に、図１ないし図３を用いて本実施例の現金自動預払機について説明する。
本実施例の自動取引システムは、図１に示すように、銀行等の金融機関のセンタ等に設置されたホストコンピュータ１と、金融機関の支店等の店舗に設置された現金自動預払機２とを専用回線や電話回線等の通信回線３を介して接続して構成される。
上位装置としてのホストコンピュータ１は、複数の店舗に設置されている現金自動預払機２と通信回線３を介して接続しており、口座開設者である顧客の口座の金融機関名、店番号、口座番号、口座科目等の口座情報やその暗証番号、口座残高、取引毎の取引内容を時系列で記録した取引履歴等の顧客情報を格納する顧客情報データベース４を保有して顧客の口座を管理する。
【００１０】
自動取引装置としての現金自動預払機２は、顧客との間での取引処理を自動で行う機能を有しており、制御部５、通信部６、記憶部７、操作表示部８、カード取扱部９、通帳取扱部１０、紙幣入出金部１１、硬貨入出金部１２等を備えている。
現金自動預払機２の制御部５は、通信部６によって通信回線３を介してホストコンピュータ１と接続しており、現金自動預払機２内の各部を制御して取引処理等を実行すると共にデータ通信等も制御する。
通信部６は、現金自動預払機２とホストコンピュータ１とをその通信言語変換機能により専用回線３を介して相互に通信可能に接続する機能等を有している。
【００１１】
記憶部７は、制御部５が実行するプログラムやそれに用いる各種のデータおよび制御部５による処理結果等が格納される。
操作表示部８は、現金自動預払機２の前面に設けられ、ＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
カード取扱部９は、カード挿入口から挿入された顧客のキャッシュカードやクレジットカード等の取引カードの磁気ストライプやＩＣチップ等に記録されている顧客の口座情報等のカード情報を読み書きする機能、明細票等に取引内容等を印刷する機能等を有している。
【００１２】
通帳取扱部１０は、媒体挿入口としての通帳挿入口から挿入された顧客の媒体としての通帳の磁気ストライプやＩＣチップ等に記録されている顧客の口座情報や記帳開始ページ、記帳開始行等の通帳情報を読み書きする機能、ホストコンピュータ１から取得した記帳データを通帳に印字するための印字部、通帳のページを１枚毎に捲るページ捲り機構、通帳を搬送する搬送路等を備えている。
【００１３】
紙幣入出金部１１は、入金取引時等に紙幣入出金口から顧客が投入した紙幣を受入れ、これを鑑別および計数して収納庫に収納し、出金取引時等に収納庫から顧客に支払う紙幣を繰出し、これを計数して紙幣入出金口から顧客に引渡す機能を有している。
硬貨入出金部１２は、入金取引時等に硬貨入出金口から顧客が投入した硬貨を受入れ、これを鑑別および計数して収納庫に収納し、出金取引時等に収納庫から顧客に支払う硬貨を繰出し、これを計数して硬貨入出金口から顧客に引渡す機能を有している。
【００１４】
上記のホストコンピュータ１の顧客情報データベース４の顧客情報の取引履歴には、上記に加えて、最新の記帳取引を行った日時（前回記帳日時という。）が格納されている。
また、ホストコンピュータ１には、前記前回記帳日時が格納された顧客情報データベース４を用いて顧客の口座を管理する口座管理機能等、および図２を用いて説明する本実施例の記帳データ生成処理を行う機能等を有する勘定方処理実行プログラムが予めインストールされており、ホストコンピュータ１が実行する勘定方処理実行プログラムのステップにより本実施例のホストコンピュータ１の各機能手段が形成される。
【００１５】
上記の現金自動預払機２の記憶部７には、顧客が選択した取引の入力を受付け、これを基にホストコンピュータ１と交信して顧客との取引処理を自動で行う自動取引機能、および図２を用いて説明する本実施例の記帳データ印字処理を行う機能等を有する取引処理プログラムが予め格納されており、制御部５が実行する取引処理プログラムのステップにより本実施例の現金自動預払機２の各機能手段が形成される。
【００１６】
以下に、図２に示す流れ図のステップに従って、本実施例の通帳記帳処理について記帳取引（通帳に印字のみを行う取引）を例に説明する。
なお、ステップ名は現金自動預払機２に関するステップをＳで、ホストコンピュータ１に関するステップをＳＡで表す。
金融機関の店舗の係員が、始業時等に現金自動預払機２へ電源を投入すると、現金自動預払機２の記憶部７に格納されている取引処理プログラムが自動的に起動される。
【００１７】
Ｓ１：取引処理プログラムが起動すると、現金自動預払機２の制御部５は、取引処理プログラムにより、その操作表示部８の表示画面に取引選択画面を表示して待機する。
取引選択画面には、取引選択ボタンの押下を促す旨の文言と出金取引のための「お支払い」ボタンおよび入金取引のための「お預け入れ」ボタン、振込取引のための「お振り込み」ボタン、口座残高を照会する残高照会取引のための「残高照会」ボタン、通帳に未記帳の記帳データを記帳する記帳取引のための「通帳記帳」ボタン等の取引を選択するための取引選択ボタンが表示されている。
【００１８】
本実施例では、顧客は記帳取引を選択し、操作表示部８の表示画面からタッチパネルによって「通帳記帳」ボタンを押下する。
なお、顧客が記帳取引以外の他の取引を選択した場合、制御部５は、顧客が選択した他の取引の取引処理を実行する。この場合の取引処理の処理作動は、通常の場合と同様であるのでその説明を省略する。
【００１９】
Ｓ２：顧客の選択した取引をタッチパネルからの出力信号等により記帳取引と認識した制御部５は、操作表示部８の表示画面に、通帳の挿入を促す旨の文言等を表示した通帳挿入依頼画面を表示し、顧客はこれに従って、前回記帳済みの最終ページ（記帳ページという。）を開いた通帳を通帳取扱部１０の通帳挿入口に挿入する。
このとき、制御部５は、通帳取扱部１０の搬送路によって取込んだ通帳に記録されている顧客の口座情報や記帳開始ページ、記帳開始行等の通帳情報を読取り、読取った通帳情報を記憶部７に一時保存する。
【００２０】
Ｓ３：通帳情報を読取った制御部５は、読取った通帳情報の口座情報等を付した記帳データ要求を通信部６によって通信回線３を介してホストコンピュータ１（ステップＳＡ１）へ送信する。
ＳＡ１：現金自動預払機２からの記帳データ要求の受信を待って待機していたホストコンピュータ１は、記帳データ要求を受信したときにステップＳＡ２へ移行する。記帳データ要求を受信しない場合は、前記の待機を継続する。
【００２１】
ＳＡ２：記帳データ要求を受信したホストコンピュータ１は、その時計機能により現在日（時分秒を含む）を認識し、受信した記帳データ要求を基に記帳データ生成処理を実行する。
すなわち、ホストコンピュータ１は、時計機能により認識した現在日（記帳日）を記した付加情報を生成する。
この場合の付加情報は、取引年月日欄は記載なしマーク（本実施例では「＊＊＊＊＊」）、お支払金額欄は、記帳日である旨の文言と印字が行われた日である記帳日、お預り金額欄は記載なしマーク、差引残高欄は記載なしマーク、備考欄は空欄として生成される（図３参照）。
【００２２】
付加情報を生成したホストコンピュータ１は、現在日時を新たな前回記帳日時とし、新たに記帳データとした未記帳データを記帳済情報としての記帳済データとして取引履歴を更新し、顧客情報に格納されている前回記帳日から今回記帳日までの取引毎の未記帳データ（前回記帳日時後に前回記帳日と同日付で入出金取引等が行われた場合はその未記帳データを含む。）と、未記帳データの最後に付加情報を配した記帳情報としての記帳データを生成する。
【００２３】
ＳＡ３：記帳データを生成したホストコンピュータ１は、生成した記帳データを、通信回線３を介して送信元の現金自動預払機２（ステップＳ４）へ送信し、結合子Ａを介してステップＳＡ１へ戻り、現金自動預払機２からの記帳データ要求の受信を待って待機する。
Ｓ４：記帳データ要求の送信後に、ホストコンピュータ１からの記帳データの受信を待って待機していた現金自動預払機２の制御部５は、通信部６によって記帳データを受信したときにステップＳ５へ移行する。記帳データを受信しない場合は、前記の待機を継続する。
【００２４】
Ｓ５：記帳データを受信した制御部５は、受信した記帳データを基に記帳データ印字処理を実行する。
すなわち、制御部５は、記憶部７に一時保存した通帳情報から記帳開始ページや記帳開始行等を読出し、挿入された通帳の開かれたページが記帳開始ページでない場合は、ページ捲り機構に搬送して記帳ページを開いた後に印字部へ搬送し、挿入された通帳の開かれたページが記帳開始ページの場合は、その状態で印字部へ搬送する。
記帳ページを開いた通帳を印字部へ搬送した制御部５は、図３に示すように、記帳ページの記帳開始行から順に、記帳データの取引年月日欄、お支払金額欄またはお預り金額欄、および差引残高を、金額を表す数字で印字し、最終行に付加情報を印字する。
【００２５】
この場合の記帳データの付加情報は、上記したように、取引年月日欄は記載なしマーク、お支払金額欄は、記帳日である旨の文言と印字が行われた日である記帳日、お預り金額欄は記載なしマーク、差引残高欄は記載なしマーク、備考欄は空欄として印字される。
なお、印字中に記帳ページの最終行に達した場合、制御部５はその通帳をページ捲り機構に搬送して次ページを開いた後に、再び印字部へ搬送して印字を継続する。
【００２６】
Ｓ６：記帳データの印字を終えた制御部５は、当該通帳の通帳情報の記帳開始ページを今回記帳終了時のページに、記帳開始行を最終印字行の次行に書替え、操作表示部８の表示画面に、通帳の受取りを促す旨の文言等を表示した通帳受取依頼画面を表示して記帳を終えた通帳を通帳挿入口から排出して顧客に返却する。
そして、制御部５は、顧客の通帳の受取りを確認して今回の通帳記帳処理を終了させ、ステップＳ１へ戻って操作表示部８の表示画面に取引選択画面を表示して待機する。
このようにして、本実施例の記帳取引における通帳記帳処理が実行される。
【００２７】
なお、出金取引時や入金取引時等に通帳が挿入された場合、つまり他の取引と同時に記帳を行う場合、付加情報は、取引年月日欄、お支払金額欄、お預り金額欄、差引残高欄は、当該取引における取引内容を示す印字データ、備考欄は、記帳日である旨の文言と印字が行われた日である記帳日として生成され、通帳への記帳時には、取引年月日欄、お支払金額欄、お預り金額欄、差引残高欄は、金額を表す数字で印字され、その備考欄は、記帳日である旨の文言と印字が行われた日である記帳日が印字される（図３の記帳例の第７行目参照）。
【００２８】
このように、本実施例では、通帳に記帳するときに、今回の記帳日を印字するので、顧客は、過去の記帳日を迅速に把握することができ、記帳日を基に資金管理等を行う顧客は、記帳日を通帳に記録することが可能になり、通帳記帳における顧客の利便性を向上させることができる。
【００２９】
なお、本実施例では、他の取引と同時に記帳を行う場合は、記帳日を備考欄に印字するとして説明したが、備考欄が設けられていない通帳を用いる場合は、上記ステップＳ５で説明した付加情報の印字形態と同様の印字形態で、最終行に印字するようにするとよい。
また、本実施例では、他の取引（出金取引等）と同時に記帳を行う場合は、記帳日を備考欄に印字するとして説明したが、記帳取引のみを行う場合においても、記帳日を備考欄に印字するようにしてもよい。
【実施例２】
【００３０】
以下に、図４および図５を用いて本実施例の現金自動預払機について説明する。
なお、上記実施例１と同様の部分は、同一の符号を付してその説明を省略する。また、本実施例では、備考欄が設けられていない通帳を例に説明する。
本実施例のホストコンピュータ１の顧客情報データベース４の顧客情報の取引履歴には、上記実施例１と同様の前回記帳日が格納されている。
【００３１】
また、ホストコンピュータ１には、前記前回記帳日時が格納された顧客情報データベース４を用いて顧客の口座を管理する口座管理機能等、および図４を用いて説明する本実施例の記帳データ生成処理を行う機能等を有する勘定方処理実行プログラムが予めインストールされており、ホストコンピュータ１が実行する勘定方処理実行プログラムのステップにより本実施例のホストコンピュータ１の各機能手段が形成される。
また、現金自動預払機２の記憶部７には、上記実施例１と同様の自動取引機能、および図４を用いて説明する本実施例の記帳データ印字処理を行う機能等を有する取引処理プログラムが予め格納されており、制御部５が実行する取引処理プログラムのステップにより本実施例の現金自動預払機２の各機能手段が形成される。
【００３２】
以下に、図４に示す流れ図のステップに従って、本実施例の通帳記帳処理について記帳取引を例に説明する。
なお、ステップ名は現金自動預払機２に関するステップをＳＢで、ホストコンピュータ１に関するステップをＳＣで表す。
本実施例の現金自動預払機２のステップＳＢ１〜ＳＢ３、およびホストコンピュータ１のステップＳＣ１の処理動作は、上記実施例１の現金自動預払機２のステップＳ１〜Ｓ３、およびホストコンピュータ１のステップＳＡ１の処理動作と同様であるので、その説明を省略する。
【００３３】
ＳＣ２：記帳データ要求を受信したホストコンピュータ１は、その時計機能により現在日（時分秒を含む）を認識し、受信した記帳データ要求を基に記帳データ生成処理を実行する。
すなわち、ホストコンピュータ１は、記帳データ要求の口座情報を基に、顧客情報データベース４の顧客情報を検索して該当する顧客情報を特定し、その顧客情報の取引履歴から前回記帳日時を読出して前回記帳日を認識し、取引履歴の未記帳情報としての未記帳データを基に、前回記帳日の翌日から今回記帳日までの間の入金額と出金額を集計し（前回記帳日時後に前回記帳日と同日付で入出金取引が行われた場合はその未記帳データの入出金額を含む。）、その入金額から出金額を差引いて入出金額の差額を算出し、時計機能により認識した現在日（記帳日）に対応させて、算出した入出金額の差額を記した付加情報を生成する（図５参照）。
【００３４】
付加情報を生成したホストコンピュータ１は、現在日時を新たな前回記帳日時とし、新たに記帳データとした未記帳データを記帳済情報としての記帳済データとして取引履歴を更新し、前回記帳日から今回記帳日までの取引毎の未記帳データと、未記帳データの最後に付加情報を配した記帳情報としての記帳データを生成する。
【００３５】
ＳＣ３：記帳データを生成したホストコンピュータ１は、生成した記帳データを、通信回線３を介して送信元の現金自動預払機２（ステップＳＢ４）へ送信し、結合子Ｃを介してステップＳＣ１へ戻り、現金自動預払機２からの記帳データ要求の受信を待って待機する。
ＳＢ４：記帳データ要求の送信後に、ホストコンピュータ１からの記帳データの受信を待って待機していた現金自動預払機２の制御部５は、通信部６によって記帳データを受信したときにステップＳＢ５へ移行する。記帳データを受信しない場合は、前記の待機を継続する。
【００３６】
ＳＢ５：記帳データを受信した制御部５は、受信した記帳データを基に記帳データ印字処理を実行する。
すなわち、制御部５は、上記実施例１のステップＳ５と同様にして、記帳ページを開いた通帳を印字部へ搬送し、図５に示すように、記帳ページの記帳開始行から順に、記帳データの取引年月日欄、お支払金額欄またはお預り金額欄、および差引残高を、金額を表す数字で印字し、最終行に付加情報を印字する。
この場合の記帳データの付加情報は、取引年月日欄は記載なしマーク、お支払金額欄は、記帳日である旨の文言と印字が行われた日である記帳日、お預り金額欄は記載なしマーク、差引残高欄は、集計額である旨の文言と入出金額の差額として印字される。
【００３７】
ＳＢ６：記帳データの印字を終えた制御部５は、上記実施例１のステップＳ６と同様にして、記帳を終えた通帳を顧客に返却する。
そして、制御部５は、顧客の通帳の受取りを確認して今回の通帳記帳処理を終了させ、ステップＳＢ１へ戻って操作表示部８の表示画面に取引選択画面を表示して待機する。
このようにして、本実施例の記帳取引における通帳記帳処理が実行される。出金取引時や入金取引時等に通帳が挿入された場合も同様である。
【００３８】
このように、本実施例では、通帳に記帳するときに、今回記帳した新たな取引履歴の最終行に、前回記帳日から今回記帳日までの間の入出金の差額を今回の記帳日に対応させて印字するので、顧客は、前回記帳日から今回記帳日までの間の資金の入出金の状況を迅速に把握することができ、定期的に記帳を行う顧客は、記帳日毎の入出金の状況を通帳に記録することが可能になり、通帳記帳における顧客の利便性を向上させることができる。
【実施例３】
【００３９】
以下に、図６および図７を用いて本実施例の現金自動預払機について説明する。
なお、上記実施例１と同様の部分は、同一の符号を付してその説明を省略する。また、本実施例では、備考欄が設けられていない通帳を例に説明する。
本実施例のホストコンピュータ１の顧客情報データベース４の顧客情報には、上記実施例１と同様の前回記帳日、および当該顧客が金融機関への申請により付加情報を生成する所定の期間の集計日（例えば、集計日を金曜日とした１週間、集計日を２０日とした１月間）として設定した設定日（以下、集計日という。）が格納されている。
以下の説明においては、顧客が、集計日として、火曜日（毎週火曜日）を申請により設定したものとして説明する。
【００４０】
本実施例のホストコンピュータ１には、前記前回記帳日および集計日が格納された顧客情報データベース４を用いて顧客の口座を管理する口座管理機能等、および図６を用いて説明する本実施例の記帳データ生成処理を行う機能等を有する勘定方処理実行プログラムが予めインストールされており、ホストコンピュータ１が実行する勘定方処理実行プログラムのステップにより本実施例のホストコンピュータ１の各機能手段が形成される。
また、現金自動預払機２の記憶部７には、上記実施例１と同様の自動取引機能、図６を用いて説明する本実施例の記帳データ印字処理を行う機能等を有する取引処理プログラムが予め格納されており、制御部５が実行する取引処理プログラムのステップにより本実施例の現金自動預払機２の各機能手段が形成される。
【００４１】
以下に、図６に示す流れ図のステップに従って、本実施例の通帳記帳処理について記帳取引を例に説明する。
なお、ステップ名は現金自動預払機２に関するステップをＳＤで、ホストコンピュータ１に関するステップをＳＥで表す。
本実施例の現金自動預払機２のステップＳＤ１〜ＳＤ３、およびホストコンピュータ１のステップＳＥ１の処理動作は、上記実施例１の現金自動預払機２のステップＳ１〜Ｓ３、およびホストコンピュータ１のステップＳＡ１の処理動作と同様であるので、その説明を省略する。
【００４２】
ＳＥ２：記帳データ要求を受信したホストコンピュータ１は、その時計機能により現在日（日時秒、曜日を含む。）を認識し、受信した記帳データ要求を基に記帳データ生成処理を実行する。
すなわち、ホストコンピュータ１は、記帳データ要求の口座情報を基に、顧客情報データベース４の顧客情報を検索して該当する顧客情報を特定し、その顧客情報の取引履歴から前回記帳日時と、顧客が設定した集計日を読出し、前回記帳日時によって前回記帳日を認識し、取引履歴の記帳済データから前回記帳日に最も近い集計日（前の集計日という。本実施例では、直近の火曜日である前週の該当日）を認識し、前の集計日の翌日から所定の期間（本実施例では、１週間）経過後の集計日、つまり当該所定の期間の最終日（後の集計日という）までの間の入金額と出金額を集計し（前回記帳日時後に前回記帳日と同日付で入出金取引が行われた場合はその記帳済データと先頭の未記帳データまでの間の記帳済データの入出金額を含む。）、その入金額から出金額を差引いて入出金額の差額を算出し、後の集計日に対応させて、算出した入出金額の差額を記した最初の付加情報を生成する。
【００４３】
最初の付加情報を生成したホストコンピュータ１は、最初の付加情報の後の集計日を前の集計日とし、当該前の集計日の翌日から所定の期間経過後の後の集計日までの間の入金額と出金額を集計し、その入出金額の差額を算出して次の付加情報を生成し、この付加情報の生成を、後の集計日が時計機能により認識した現在日（記帳日）を超えるまで繰返して、前回記帳日から今回記帳日までの間の、所定の期間毎の付加情報を生成する（図７参照）。
【００４４】
所定の期間毎の付加情報を生成したホストコンピュータ１は、現在日時を新たな前回記帳日時とし、新たに記帳データとした未記帳データを記帳済データとして取引履歴を更新し、前回記帳日から今回記帳日までの取引毎の未記帳データと、所定期間毎の付加情報とを時系列に配した記帳データを生成する。
【００４５】
ＳＥ３：記帳データを生成したホストコンピュータ１は、生成した記帳データを、通信回線３を介して送信元の現金自動預払機２（ステップＳＤ４）へ送信し、結合子Ｅを介してステップＳＥ１へ戻り、現金自動預払機２からの記帳データ要求の受信を待って待機する。
ＳＤ４：記帳データ要求の送信後に、ホストコンピュータ１からの記帳データの受信を待って待機していた現金自動預払機２の制御部５は、通信部６によって記帳データを受信したときにステップＳＤ５へ移行する。記帳データを受信しない場合は、前記の待機を継続する。
【００４６】
ＳＤ５：記帳データを受信した制御部５は、受信した記帳データを基に記帳データ印字処理を実行する。
すなわち、制御部５は、上記実施例１のステップＳ５と同様にして、記帳ページを開いた通帳を印字部へ搬送し、図７に示すように、記帳ページの記帳開始行から順に、記帳データの取引年月日欄、お支払金額欄またはお預り金額欄、および差引残高を金額を表す数字で印字する。
この場合の記帳データの所定期間毎の付加情報は、未記帳データの間に時系列で印字され、上記実施例２と同様に、取引年月日欄は記載なしマーク、お支払金額欄は、集計日である旨の文言と集計を行った日である記帳日、お預り金額欄は記載なしマーク、差引残高欄は、集計額である旨の文言と入出金額の差額として印字される。
【００４７】
ＳＤ６：記帳データの印字を終えた制御部５は、上記実施例１のステップＳ６と同様にして、記帳を終えた通帳を顧客に返却する。
そして、制御部５は、顧客の通帳の受取りを確認して今回の通帳記帳処理を終了させ、ステップＳＤ１へ戻って操作表示部８の表示画面に取引選択画面を表示して待機する。
このようにして、本実施例の記帳取引における通帳記帳処理が実行される。出金取引時や入金取引時等に通帳が挿入された場合も同様である。
【００４８】
このように、本実施例では、通帳に記帳するときに、今回記帳した新たな取引履歴に、前回記帳日から今回記帳日までの間の所定の期間毎の入出金の差額を所定の期間の最終日である集計日に対応させて時系列に印字するので、顧客は、前回記帳日から今回記帳日までの間の所定の期間毎の資金の入出金の状況を迅速に把握することができ、不定期に記帳を行う顧客は、所定の期間毎の入出金の状況を通帳に記録することが可能になり、通帳記帳における顧客の利便性を向上させることができる。
なお、本実施例では、所定の期間を、１週間または１月として説明したが、５日間または６０日間等としてもよい。要は、顧客が希望する期間であれば、どのような期間であってもよい。
【符号の説明】
【００４９】
１    ホストコンピュータ
２    現金自動預払機
３    通信回線
４    顧客情報データベース
５    制御部
６    通信部
７    記憶部
８    操作表示部
９    カード取扱部
１０  通帳取扱部
１１  紙幣入出金部
１２  硬貨入出金部
【図１】
0006558931.tif 000002
【図２】
0006558931.tif 000003
【図３】
0006558931.tif 000004
【図４】
0006558931.tif 000005
【図５】
0006558931.tif 000006
【図６】
0006558931.tif 000007
【図７】
0006558931.tif 000008